(57)【要約】【課題】運転者の負担を増大させずにウォッシャ液の噴射量を好適に制御してウォッシャ液切れを回避することができる安全性に優れた車両用ウォッシャ装置を提供する。【解決手段】車両１の外部から提供される外部情報を受信する情報通信手段２２と、現在地から目的地までの経路情報を算出する経路算出手段２４と、タンク３内のウォッシャ液９の残量情報を検出する残量検出手段２６と、を備え、制御手段１１は、前記外部情報、前記経路情報及び前記残量情報に基づき噴射手段１４、１４ａから噴出させるウォッシャ液９の噴射量を制御する。これにより、運転者の負担を増大させることなく、目的地までの全行程に亘ってウォッシャ液９の噴射量を好適に制御して、安全な視界を確保しつつウォッシャ液９の消費量を抑え、液切れを回避することができる。【選択図】図２
2015131616.tif 000002
【特許請求の範囲】
【請求項１】
タンク内のウォッシャ液を車両のウィンドウガラスに向かって噴射する噴射手段と、
前記噴射手段を駆動して前記ウォッシャ液の噴射を制御する制御手段と、を備えた車両用ウォッシャ装置において、
前記車両の外部から提供される外部情報を受信する情報通信手段と、
現在地から目的地までの経路情報を算出する経路算出手段と、
前記タンク内のウォッシャ液の残量情報を検出する残量検出手段と、を備え、
前記制御手段は、前記外部情報、前記経路情報及び前記残量情報に基づき前記噴射手段から噴出させるウォッシャ液の噴射量を制御することを特徴とする車両用ウォッシャ装置。
【請求項２】
前記制御手段は、前記外部情報及び前記経路情報に基づいて前記現在地から前記目的地まで必要な前記ウォッシャ液の予想使用量情報を算出し、該予想使用量情報と前記残量情報とを比較して前記ウォッシャ液の不足が予想される場合には、前記噴射手段を制御して前記噴射量を減少させることを特徴とする請求項１に記載の車両用ウォッシャ装置。
【請求項３】
前記制御手段は、前記予想使用量情報と前記残量情報との前記比較に基づいて現時点における許容使用量情報を算出し、該許容使用量情報に基づき前記噴射手段の駆動時間を短くすることを特徴とする請求項２に記載の車両用ウォッシャ装置。
【請求項４】
前記制御手段が前記噴射手段を制御し前記噴射量を減少させるか否かを識別可能に表示する表示手段を備えたことを特徴とする請求項２または請求項３に記載の車両用ウォッシャ装置。
【請求項５】
運転者による前記ウォッシャ液の噴射指示情報を入力する操作手段と、
前記噴射指示情報、前記外部情報及び前記経路情報の履歴情報を記憶する記憶手段と、を備え、
前記制御手段は、前記履歴情報に基づいて前記運転者の操作を予測して前記予想使用量情報を算出することを特徴とする請求項２ないし請求項４の何れか１項に記載の車両用ウォッシャ装置。
【請求項６】
運転者による解除指示情報を入力する解除指示入力手段と、を備え、
前記制御手段は、前記解除指示情報に基づき前記噴射量を減少させるか否かを決定することを特徴とする請求項２ないし請求項５の何れか１項に記載の車両用ウォッシャ装置。
【請求項７】
前記車両周囲の現在の降雨情報を検出する雨滴検出手段と、を備え、
前記制御手段は、前記降雨情報に基づき前記噴射量を制御することを特徴とする請求項１ないし請求項６の何れか１項に記載の車両用ウォッシャ装置。
【請求項８】
前記ウィンドウガラスの汚れ情報を検出する汚れ検出手段と、を備え、
前記制御手段は、前記汚れ情報に基づき前記噴射量を制御することを特徴とする請求項１ないし請求項７の何れか１項に記載の車両用ウォッシャ装置。
【発明の詳細な説明】
【技術分野】
【０００１】
本発明は、車両のウィンドウガラスに吹き付けるウォッシャ液の噴射量を好適に制御する車両用ウォッシャ装置に関する。
【背景技術】
【０００２】
一般に、自動車等の車両のウィンドウガラスを洗浄して良好な視界を確保するために、ウィンドウガラスに向かってウォッシャ液（洗浄液）を噴射することが行われている。従来、運転者の操作を軽減して安全性を向上させるために、ウィンドウガラスの汚れ、該表面の状態、雨量及び車速を検知して、ウインドウワイパの駆動速度及びウォッシャ液の噴射量を自動で制御することが知られている（例えば、特許文献１）。
【０００３】
また、走行中にウォッシャ液が無くなってしまうことを回避するために、ウォッシャ液の残量が少なくなったことを運転者に知らせる警報センサや、ウォッシャ液の残量を表示する残量計を設けることが知られている（例えば、特許文献２、特許文献３）
【先行技術文献】
【特許文献】
【０００４】
【特許文献１】特開平５−２２１２８７号公報（第２−４頁、第１図）
【特許文献２】実開昭６２−１２７８４７号公報（第３−４頁、第１図）
【特許文献３】実開平５−１４８４９号公報（第４−５頁、第１図）
【発明の概要】
【発明が解決しようとする課題】
【０００５】
しかしながら、特許文献１に開示された従来技術のように、ウィンドウガラスの汚れ等に対応してウォッシャ液の噴射量を自動で制御する方法では、走行中にウォッシャ液が不足する恐れがあるという問題点があった。
【０００６】
即ち、ウォッシャ液の残量及び今後の使用量を考慮せずに、ウィンドウガラスの汚れや雨量等、現時点における洗浄要否の状況のみによって噴射量を制御するため、走行中にウォッシャ液を使い果たしてしまう恐れがある。ウォッシャ液が切れると、必要なときにウィンドウガラスの汚れを適切に払拭することができず、運転者の良好な視界を確保することが難しくなり、安全上好ましくない。
【０００７】
また、特許文献２や特許文献３に開示された従来技術のように、ウォッシャ液の残量を運転者に知らせることは、運転者にウォッシャ液の補充を促し、ウォッシャ液切れの防止に役立つ。しかしながら、ウォッシャ液の残量が少ないことを知っても、必ずしもウォッシャ液を補充できる環境にあるとは限らず、そのため、ウォッシャ液を補充するタイミングを誤ると、ウォッシャ液を使い果たしてしまうこともある。
【０００８】
特に、従来技術の残量報知では、残りのウォッシャ液で、いつまで洗浄が可能であるかを示すことはできず、この難しい判断を運転者に委ねていた。つまり、運転者は、目的地までの道路状況や天気状況等を把握してウォッシャ液の消費量を予測すると共に、ウォッシャ液の残量から経験的に洗浄可能な回数等を予測し、ウォッシャ液を補充する時期や場所を判断しなければならなかった。
【０００９】
また、ウォッシャタンクの容量を大きくして、ウォッシャ液の保有量を増やすことにより、ウォッシャ液不足になる危険性を低下させることも考えられる。しかし、ウォッシャタンクの容量を大きくすることは、車両の小型軽量化を阻害し、燃費性能の低下につながるので好ましくない。
【００１０】
また更に、ウォッシャ液切れを回避するために、単純にウォッシャ液の噴射量を少なくしてウォッシャ液の消費量を減らすと、ウィンドウガラスを払拭する性能が低下し、安全性が損なわれてしまう。また、操作感が悪化してしまうという問題点もある。
【００１１】
本発明は、上記の事情に鑑みてなされたものであり、運転者の負担を増大させずにウォッシャ液の噴射量を好適に制御してウォッシャ液切れを回避することができる安全性に優れた車両用ウォッシャ装置を提供することを目的とする。
【課題を解決するための手段】
【００１２】
本発明の車両用ウォッシャ装置は、タンク内のウォッシャ液を車両のウィンドウガラスに向かって噴射する噴射手段と、前記噴射手段を駆動して前記ウォッシャ液の噴射を制御する制御手段と、を備えた車両用ウォッシャ装置において、前記車両の外部から提供される外部情報を受信する情報通信手段と、現在地から目的地までの経路情報を算出する経路算出手段と、前記タンク内のウォッシャ液の残量情報を検出する残量検出手段と、を備え、前記制御手段は、前記外部情報、前記経路情報及び前記残量情報に基づき前記噴射手段から噴出させるウォッシャ液の噴射量を制御することを特徴とする。
【発明の効果】
【００１３】
本発明の車両用ウォッシャ装置によれば、車両の外部から提供される外部情報と、現在地から目的地までの経路情報と、ウォッシャ液の残量情報と、に基づき噴射手段から噴出させるウォッシャ液の噴射量を制御する。これにより、運転者の負担を増大させることなく、目的地までの全行程に亘ってウォッシャ液の噴射量を好適に制御して、安全な視界を確保しつつウォッシャ液の消費量を抑えることができる。
【００１４】
また、ウォッシャ液の噴射量を制御してウォッシャ液を有効に使用することができるので、ウォッシャ液を入れるタンクの小型軽量化を図ることができる。
【００１５】
また、本発明の車両用ウォッシャ装置は、外部情報及び経路情報に基づいて現在地から目的地まで必要なウォッシャ液の予想使用量情報を算出する。そして、該予想使用量情報と残量情報とを比較してウォッシャ液の不足が予想される場合には、ウォッシャ液の噴射量を減少させる。このように、予想使用量情報に基づきウォッシャ液を計画的に使用することにより、ウォッシャ液切れを回避することができる。
【００１６】
また、本発明の制御手段は、予想使用量情報と残量情報との比較に基づいて現時点における許容使用量情報を算出し、該許容使用量情報に基づきウォッシャ液の噴射量を削減する。そのため、先の行程で必要とするウォッシャ液を計画的に残すことができる。
【００１７】
また、本発明の制御手段は、噴射手段の駆動時間を短くしてウォッシャ液の噴射量を減少させる。これにより、ウォッシャ液の吹き付け範囲を狭めることなく、ウォッシャ液の消費量を削減することができる。その結果、ウォッシャ液の減少による払拭性能の低下を抑えることができる。
【００１８】
また、噴射量を減少させるか否かを識別可能に表示する表示手段を設けても良い。これにより、運転者は、ウォッシャ液が不足することを事前に把握することができるので、適切なタイミングでウォッシャ液を補充することができる。
【００１９】
また、運転者によるウォッシャ液の噴射指示情報と、外部情報及び経路情報の履歴情報を記憶し、該履歴情報に基づいて運転者の操作を予測して予想使用量情報を算出しても良い。これにより、個々の運転者に適したウォッシャ液量を確保することができる。
【図面の簡単な説明】
【００２０】
【図１】本発明の実施形態に係る車両用ウォッシャ装置の配管系統を示す概略図である。
【図２】同上、制御ブロック図である。
【図３】同上、制御動作の例を示すフローチャートである。
【図４】（Ａ）、（Ｂ）同上、ウォッシャスイッチの操作とウォッシャモータの動作を示すタイムチャートである。
【図５】同上、制御動作の変形例を示すフローチャートである。
【図６】同上、制御動作の他の変形例を示すフローチャートである。
【図７】同上、ウォッシャスイッチの操作とウォッシャモータの動作を示すタイムチャートである。
【図８】同上、制御動作の他の変形例を示すフローチャートである。
【図９】同上、ウォッシャスイッチの操作とウォッシャモータの動作を示すタイムチャートである。
【発明を実施するための形態】
【００２１】
以下、本発明の実施形態に係る車両用ウォッシャ装置を図面に基づき詳細に説明する。
【００２２】
図１は、本発明の実施形態に係る車両用ウォッシャ装置１０の配管系統を示す概略図である。車両用ウォッシャ装置１０は、車両１に搭載され、車両１のウィンドウガラス２に向かって洗浄用のウォッシャ液９を吹き付けるものである。
【００２３】
図１に示すように、車両用ウォッシャ装置１０は、ウォッシャ液９を貯えるタンク３（ウォッシャタンク）と、ウォッシャ液９を流す配管４と、ウォッシャ液９を送り出すウォッシャポンプ１４ａ及びそれを駆動するウォッシャモータ１４と、を備えている。
【００２４】
ウォッシャポンプ１４ａ及びウォッシャモータ１４は、タンク３内のウォッシャ液９を噴出させる噴射手段である。ウォッシャポンプ１４ａは、配管４の経路上または、タンク３のウォッシャ液出口に設けられ、タンク３内のウォッシャ液９を送り出す。ウォッシャモータ１４は、ウォッシャポンプ１４ａを駆動するもので、制御手段としてのボディコントロールＥＣＵ１１によって駆動制御される。
【００２５】
ボディコントロールＥＣＵ１１の指令によりウォッシャモータ１４が駆動されると、ウォッシャポンプ１４ａによってタンク３内のウォッシャ液９が送り出され、配管４及びその先端のノズル５を介してウィンドウガラス２の表面に噴射される。
【００２６】
また、車両用ウォッシャ装置１０は、ウォッシャ残量センサ２６を備えている。ウォッシャ残量センサ２６は、タンク３内に貯えられるウォッシャ液９の残量情報を検出する残量検出手段である。ウォッシャ残量センサ２６としては、例えば、フロート式液面センサや導電式レベルスイッチ等の各種センサを採用できる。
【００２７】
図２は、車両用ウォッシャ装置１０の制御ブロック図である。図２に示すように、車両用ウォッシャ装置１０は、通信機器２２、ナビゲーション装置２４、ウォッシャスイッチ２０、メータ表示部１６、雨滴検知センサ２７及び汚れ検知センサ２８等を備えている。そして、これらの構成機器は、各々ボディコントロールＥＣＵ１１に通信可能に接続されている。
【００２８】
通信機器２２は、車両１の外部から提供される外部情報を受信する情報通信手段である。通信機器２２は、アンテナ２３（センサ含む）を介して、外部の情報提供者（３０〜３３）と電波（超短波、マイクロ波等）や近赤外線等を利用した無線通信を行う。尚、無線通信は、地上波による通信または衛星を介した通信の何れでも良い。
【００２９】
そして、通信機器２２は、後述するナビゲーション装置２４が算出する経路情報に関連する外部情報を受信する。即ち、通信機器２２は、経路情報に基づき、各通過点の通過予想時刻までの外部情報（予測値含む）を収集する。
【００３０】
通信機器２２が受信する外部情報は、道路情報、気象情報及びウィンドウガラス２（図１参照）の汚れや洗浄に関連するその他の情報である。道路情報は、例えば、渋滞情報、交通規制情報、交通障害情報、所要時間情報及び路面凍結情報等である。気象情報は、例えば、現在気温、予想気温、現在降雨（降雪）情報、降雨（降雪）予想、積雪情報、風況、日照及び視程等である。
【００３１】
尚、これらの道路情報は、交通情報提供者３１（例えば、日本道路交通情報センタ等）から直接またはＶＩＣＳ（登録商標）センタ３０（ＶＩＣＳ（登録商標）：Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）を介して提供される。また、気象情報としては、気象情報提供者３２（例えば、気象庁、民間気象事業者等）からインターネット等を介して提供される情報を利用することができる。
【００３２】
ナビゲーション装置２４は、現在地から目的地までの経路情報を算出する経路算出手段である。ナビゲーション装置２４は、ＧＰＳアンテナ２５を介して複数のＧＰＳ衛星が発する電波を受信し、各ＧＰＳ衛星からの距離を演算して車両１の現在位置を割り出す。尚、より高精度に現在位置を求めるために、車両１の速度、操舵角及び加速度等の走行情報や、地上基準局からの受信電波等を利用しても良い。
【００３３】
また、ナビゲーション装置２４は、地図情報データを保有し、該地図情報データを利用して、現在地から目的地までの経路情報を算出する。ここで、ナビゲーション装置２４が算出する経路情報は、例えば、現在地から目的地までの経路、各通過点の予想通過時刻、舗装または未舗装等の路面情報等である。
【００３４】
ウォッシャスイッチ２０は、運転者によるウォッシャ液９（図１参照）の噴射指示情報を入力する操作手段である。噴射指示情報とは、具体的には、運転者の操作によるウォッシャスイッチ２０のＯＮ、ＯＦＦ信号である。
【００３５】
ウォッシャスイッチ２０は、図示しないステアリング近傍の運転者が操作しやすい場所に設けられる。尚、ウォッシャスイッチ２０は、該操作部を、ワイパースイッチ等の操作部と併用した、いわゆるコンビネーションスイッチとしても良い。
【００３６】
メータ表示部１６は、ボディコントロールＥＣＵ１１による制御状態を表示して運転者に知らせる表示手段である。特に、ウォッシャ液９の不足が予想されること及びウォッシャ液９の使用量を制限しているか否かを運転者に知らせるものである。
【００３７】
メータ表示部１６としては、ＬＥＤ等の各種ランプやＬＣＤ等の各種ディスプレイを利用することができる。また、メータ表示部１６は、例えば、運転席の前方に配置される図示しないインストルメントパネル内等、運転者から視認しやすい箇所に設けられる。
【００３８】
雨滴検知センサ２７は、車両１周囲の現在の降雨情報を検出する雨滴検出手段である。雨滴検知センサ２７は、車両１の外面、例えば、ウィンドウガラス２の近傍に設けられる。雨滴検知センサ２７としては、例えば、赤外線等を利用した光反射式センサ（光電センサ）等を用いることができる。
【００３９】
汚れ検知センサ２８は、ウィンドウガラス２の汚れ情報を検出する汚れ検出手段である。そして、汚れ検知センサ２８は、ウィンドウガラス２の表面またはその近傍に設けられる。汚れ検知センサ２８としては、例えば、光センサ、光電センサ及びカメラ等を用いることができる。また、汚れ検知センサ２８として、衝突防止等の運転支援を行う運転支援用画像認識装置のカメラを利用することも可能である。
【００４０】
ボディコントロールＥＣＵ１１は、演算部１２及び記憶部１３を備える。演算部１２は、外部情報、経路情報及び残量情報等に基づきウォッシャ液９の噴射を制御するための演算を行う。また、記憶部１３は、運転者による噴射指示情報、外部情報及び経路情報等の履歴情報を記憶する記憶手段である。
【００４１】
次に、ボディコントロールＥＣＵ１１の演算部１２による各制御パラメータの演算について詳細に説明する。ボディコントロールＥＣＵ１１の演算部１２は、通信機器２２によって外部から受信した外部情報及びナビゲーション装置２４で算出した経路情報に基づき、現在地から目的地までに必要なウォッシャ液９の予想使用量（予想使用量情報）を算出する。
【００４２】
ここで、ウォッシャ液９の予想使用量情報は、過去のデータ等を利用して予め設定された相関式等（例えば、道路情報や気象情報とウォッシャ液９の消費量との相関式）を用いて算出することができる。
【００４３】
尚、経路情報を算出するための目的地が設定されていない場合には、予め設定可能な所定の時間（例えば、１日〜１週間）を基準として、現在地近傍の外部情報等に基づき、予想使用量情報を算出すれば良い。
【００４４】
また、記憶部１３に記憶された履歴情報に基づいて運転者の操作を予測して予想使用量情報を算出しても良い。つまり、ボディコントロールＥＣＵ１１は、実際の運転者の操作状況やウォッシャ液９の使用状況等によって予想使用量情報を補正する学習機能を有する。これにより、個々の運転者に適したウォッシャ液９の予想使用量情報を、より正確に算出することができる。
【００４５】
更に詳しくは、運転者が危険であると感じるウィンドウガラス２の汚れの程度は、運転者の視力、運転姿勢、運転能力、癖等によって異なる。また、ウォッシャ液９の使用量も運転者によって異なる。本実施形態に係る車両用ウォッシャ装置１０は、履歴情報を利用して予想使用量情報を補正するので、個々の運転者に適した安全な視界を維持するために必要なウォッシャ液９の残量を確保することができる。
【００４６】
次に、ボディコントロールＥＣＵ１１の演算部１２は、ウォッシャ残量センサ２６で検出した残量情報と、前述の通り算出した予想使用量情報と、を比較してウォッシャ液９が不足するか否かを判断する。そして、ウォッシャ液９が不足すると判断した場合、即ち予想使用量が残量を超えると判断した場合、ウォッシャ液９の噴射量を減少させる制御を行う。具体的には、ウォッシャ液９の消費を制限する「ウォッシャ制限モード」であることを示す制御パラメータをＯＮにする。
【００４７】
そして、ボディコントロールＥＣＵ１１の演算部１２は、予想使用量情報と残量情報との比較に基づいて、目的地までウォッシャ液９を持続させるようにウォッシャ液９の使用量を減らす演算を実行し、現時点における許容使用量（許容使用量情報）を算出する。
【００４８】
そして更に、ボディコントロールＥＣＵ１１の演算部１２は、ウォッシャ液９の許容使用量を、ウォッシャ可能時間Ｔａ（図４参照）に換算する。ウォッシャ可能時間Ｔａとは、通常と同一の噴射速度（単位時間当たりの噴射量、例えば、Ｌ／ｍｉｎ）で許容使用量に相当するウォッシャ液９を噴射するのに要する時間である。
【００４９】
このように、ウォッシャ液９の噴射速度を変えずに、噴射時間を変えて噴射量を調整することにより、ウォッシャ液９を吹き付ける範囲を狭めることなく、その噴射量を減少させることができる。これにより、ウォッシャ液９の噴射量を減らした際の払拭性能の低下を抑えることができる。
【００５０】
また、ウォッシャ液９の噴射速度を変えないので、ウォッシャモータ１４の回転数を調整する必要がなく、そのための制御機器も不要である。また、ウォッシャ液９の流量を調整する流量調整弁等も不要である。車両用ウォッシャ装置１０は、ウォッシャモータ１４のＯＮ、ＯＦＦ駆動制御のみでウォッシャ液９の消費量を制御することができる。
【００５１】
また、前述の通り算出した許容使用量情報を、雨滴検知センサ２７で検知した現時点の降雨情報に基づき補正しても良い。具体的には、現時点、現在地で降雨がある場合には、ウォッシャ液９の噴射量を更に減少させるようウォッシャ可能時間Ｔａを短く設定しても良い。これにより、ウォッシャ液９の不要な消費を抑え、必要時に備えてウォッシャ液９を残すことができる。
【００５２】
また更に、汚れ検知センサ２８で検知した汚れ情報に基づき、ウォッシャ液９の噴射量を制御しても良い。例えば、ウィンドウガラス２の汚れが少ないと判断した場合には、ウォッシャ可能時間Ｔａを更に短く補正しても良い。それにより、ウォッシャ液９を節約することができる。
【００５３】
次に、図３及び図４を参照して、車両用ウォッシャ装置１０の制御動作、特に、ウォッシャスイッチ２０の操作とウォッシャ液９の噴射動作について詳細に説明する。
【００５４】
図３は、車両用ウォッシャ装置１０の制御動作の例を示すフローチャートである。図３に示すように、運転者がイグニッションキーをＯＮにすると（ステップＳ１０）、ボディコントロールＥＣＵ１１（図２参照）は、外部情報、経路情報及び残量情報等に基づく各制御パラメータの演算を開始する（ステップＳ１１）。各制御パラメータの算出方法は、前述の通りである。尚、各制御パラメータは、この後も所定の時間間隔で繰り返し演算され、最新の値に更新される。
【００５５】
運転者がウォッシャスイッチ２０をＯＮに操作すると（ステップＳ２０）、ボディコントロールＥＣＵ１１は、予め算出された制御パラメータを参照し、「ウォッシャ制限モード」であるか否かを判定する（ステップＳ２１）。つまり、ウォッシャ液９の予想使用量が残量を超えているか否かを判断する。
【００５６】
ステップＳ２１で、「ウォッシャ制限モード」であると判定したら（ＹＥＳ）、ボディコントロールＥＣＵ１１は、メータ表示部１６に「ウォッシャ制限モード」であることを表示する（ステップＳ２２）。これにより、運転者は、ウォッシャ液９が不足するので補充すべきであることを知ることができる。そのため、適切なタイミングでウォッシャ液９を補充することができ、ウォッシャ液切れを回避できる。
【００５７】
他方、「ウォッシャ制限モード」でない場合には（ステップＳ２１のＮＯ）、ボディコントロールＥＣＵ１１は、メータ表示部１６に「ウォッシャ制限モード」の表示をしないで、次のステップＳ２５へと動作を進める。
【００５８】
次に、ボディコントロールＥＣＵ１１は、ウォッシャ液９を噴射している時間、即ちウォッシャモータ１４を駆動している時間が、ウォッシャ可能時間Ｔａを超えていないか判定する（ステップＳ２５）。ウォッシャ液９の噴射時間がウォッシャ可能時間Ｔａ以内であれば（ステップＳ２５のＹＥＳ）、ボディコントロールＥＣＵ１１は、ウォッシャモータ１４をＯＮ駆動し（ステップＳ２６）、ウォッシャスイッチ２０がＯＮ継続であれば（ステップＳ２８のＹＥＳ）、スッテプＳ２１へと戻り、前述の動作（ステップＳ２１〜Ｓ２８）を繰り返し実行する。
【００５９】
他方、ステップＳ２５において、ウォッシャ液９の噴射時間がウォッシャ可能時間Ｔａを超えた場合には（ＮＯ）、ボディコントロールＥＣＵ１１は、ウォッシャモータ１４をＯＦＦにして、ウォッシャ液９の噴射を停止する（ステップＳ２９）。
【００６０】
また、ステップＳ２８において、ウォッシャスイッチ２０がＯＦＦになったと判定した場合にも（ＮＯ）、ボディコントロールＥＣＵ１１は、ウォッシャモータ１４をＯＦＦにする（ステップＳ２９）。
【００６１】
尚、「ウォッシャ制限モード」でない場合には（ステップＳ２１のＮＯ）、算出されるウォッシャ可能時間Ｔａは、十分大きな値（例えば、無限大）に設定されているので、前述のステップＳ２５の判定によってウォッシャモータ１４が止められることはない。
【００６２】
但し、運転者がウォッシャスイッチ２０を押した際には「ウォッシャ制限モード」でなかったとしても、ウォッシャスイッチ２０を押し続けウォッシャ液９を噴射し続けることにより「ウォッシャ制限モード」になる場合もある。そのような場合には、ステップＳ２１の判定がＹＥＳ、ステップＳ２５の判定がＮＯとなり、ボディコントロールＥＣＵ１１は、メータ表示部１６に「ウォッシャ制限モード」であることを表示して（ステップＳ２２）、ウォッシャモータ１４を停止する（ステップＳ２９）。
【００６３】
図４は、ウォッシャスイッチ２０の操作とウォッシャモータ１４の動作を示すタイムチャートであり、同図（Ａ）は、ウォッシャ可能時間Ｔａを越えてウォッシャスイッチ２０のＯＮを継続した場合、同図（Ｂ）は、ウォッシャ可能時間Ｔａ内にウォッシャスイッチ２０をＯＦＦにした場合を示す。
【００６４】
図４（Ａ）に示すように、ボディコントロールＥＣＵ１１（図２参照）は、ウォッシャモータ１４の駆動時間Ｔｍがウォッシャ可能時間Ｔａを超えた時点（Ｔｍ２）で、ウォッシャモータ１４を停止する。つまり、ウォッシャスイッチ２０のＯＮ時間Ｔｓよりもウォッシャモータ１４の駆動時間Ｔｍを短く制御している。
【００６５】
これにより、運転者がウォッシャ可能時間Ｔａを越えてウォッシャスイッチ２０を押し続けたとしても、ウォッシャ液９（図１参照）の噴射を停止して、ウォッシャ液９の消費量を削減することができる。
【００６６】
また、図４（Ｂ）に示すように、ウォッシャ可能時間Ｔａ内に運転者がウォッシャスイッチ２０をＯＦＦにした場合には（Ｔｓ２）、ボディコントロールＥＣＵ１１は、ウォッシャモータ１４を停止する（Ｔｍ２）。つまり、運転者によるウォッシャスイッチ２０のＯＮ、ＯＦＦ操作に連動してウォッシャモータ１４の駆動をＯＮ、ＯＦＦさせる通常の制御と同様である。
【００６７】
このように、予想使用量情報と残量情報とに基づき、先の行程でウォッシャ液９の不足が予測される場合にのみウォッシャ液９の使用を制限してウォッシャ液９を計画的に使用することにより、安全な視界を確保しつつ、ウォッシャ液切れを回避することができる。
【００６８】
また、ウォッシャ液９の噴射量を好適に制御してウォッシャ液９を有効に使用することができるので、ウォッシャ液９を入れるタンク３（図１参照）の小型軽量化を図ることができる。
【００６９】
次に、図５ないし図９を参照して、車両用ウォッシャ装置１０の制御動作の変形例について詳細に説明する。尚、説明済の構成、動作と同様なものについては、図５ないし図９において、図３若しくは図４と同一の符号を付している。
【００７０】
図５は、車両用ウォッシャ装置１０の制御動作の変形例を示すフローチャートである。図５に示すように、「ウォッシャ制限モード」の場合にのみ（ステップＳ２１のＹＥＳ）、ステップＳ２５の判定、即ちウォッシャ液９を噴射している時間がウォッシャ可能時間Ｔａ以内であるか否かの判定を行っても良い。
【００７１】
この例においては、「ウォッシャ制限モード」でない場合には（ステップＳ２１のＮＯ）、ボディコントロールＥＣＵ１１は、ウォッシャ可能時間Ｔａの判定（ステップＳ２５）を実行せずに、ウォッシャモータ１４をＯＮ駆動する（ステップＳ２６）。
【００７２】
図６は、車両用ウォッシャ装置１０の制御動作の他の変形例を示すフローチャートである。図６に示すように、「ウォッシャ制限モード」であり（ステップＳ２１のＹＥＳ）、ウォッシャ液９を噴射している時間がウォッシャ可能時間Ｔａ以内である場合には（ステップＳ２５のＹＥＳ）、ウォッシャモータ１４を間欠的に駆動（パルス駆動）させても良い（ステップＳ２７）。
【００７３】
尚、「ウォッシャ制限モード」でない場合には（ステップＳ２１のＮＯ）、通常通り、ウォッシャモータ１４は連続的に駆動される（ステップＳ２６）。
【００７４】
図７は、ウォッシャモータ１４を間欠駆動させた場合における、ウォッシャスイッチ２０の操作とウォッシャモータ１４の動作を示すタイムチャートである。図７に示すように、ボディコントロールＥＣＵ１１（図２参照）は、ウォッシャモータ１４を間欠駆動し、その駆動時間Ｔｍの積算値がウォッシャ可能時間Ｔａを超えたら（Ｔｍ２）ウォッシャモータ１４をＯＦＦにする。
【００７５】
尚、間欠駆動のＯＮ、ＯＦＦ時間は、ウォッシャ液９の許容使用量情報等に基づき適宜設定すれば良い。間欠駆動の周期を好適に設定することにより、運転者に対しては、連続噴射に近い感覚を与えることができる。
【００７６】
また、ウォッシャモータ１４を間欠駆動させることにより、ウォッシャ液９の噴射が止まるタイミング（Ｔｍ２）を遅らせ、運転者がウォッシャスイッチ２０をＯＦＦにするタイミング（Ｔｓ２）に近づけることができる。これらにより、運転者に与える違和感を少なく、自然な操作感覚で、ウォッシャ液９の噴射量を減少させることができる。
【００７７】
図８は、車両用ウォッシャ装置１０の制御動作の他の変形例を示すフローチャートである。図８に示すように、本制御例では、運転者が「ウォッシャ制限モード」を解除できるように「制限キャンセルモード」を採用している。
【００７８】
具体的には、運転者が「ウォッシャ制限モード」を解除する指示（解除指示情報）を入力するための図示しない解除指示入力手段（スイッチ等）を設ける。そして、「制限キャンセルモード」であるか否かを示す制御パラメータを用意し、解除指示入力手段から入力された解除指示情報に基づき当該制御パラメータをＯＮまたはＯＦＦする。
【００７９】
つまり、ボディコントロールＥＣＵ１１は、解除指示情報に基づきウォッシャ液９の噴射量を減少させるか否かを決定する。
【００８０】
例えば、運転者が「ウォッシャ制限モード」を解除する操作を行った場合には、ステップＳ１１で開始した制御パラメータの演算により、「制限キャンセルモード」を示す制御パラメータをＯＮにする。
【００８１】
そして、「ウォッシャ制限モード」であっても（ステップＳ２１のＹＥＳ）、「制限キャンセルモード」である場合には（ステップＳ２３のＹＥＳ）、ボディコントロールＥＣＵ１１は、ウォッシャ可能時間Ｔａの判定（ステップＳ２５）を行わずにウォッシャモータ１４をＯＮ駆動する（ステップＳ２６）。即ち、「制限キャンセルモード」の場合、ウォッシャ液９の使用を制限しない。
【００８２】
尚、「ウォッシャ制限モード」で（ステップＳ２１のＹＥＳ）、「制限キャンセルモード」の場合には（ステップＳ２３のＹＥＳ）、ボディコントロールＥＣＵ１１は、メータ表示部１６に「ウォッシャ制限モード」であること（ステップＳ２２）及び「制限キャンセルモード」であることを表示する（ステップＳ２４）。これにより、運転者は、ウォッシャ液９が切れる恐れがあること、及びウォッシャ液９の噴射量を減らす制御を行っていないことを知ることができる。
【００８３】
このように、「ウォッシャ制限モード」を解除する「制限キャンセルモード」を設けることにより、ウォッシャ液９の使用量を制限する制御動作を運転者の意思で無効にすることができる。この「制限キャンセルモード」は、例えば、途中でウォッシャ液９を補充する計画がある場合等に利用することができる。これにより、ウォッシャ液９を補充できる場合には、ウォッシャ液９の噴射量を減少させることなく、良好な視界を確保するためにより多くのウォッシャ液９を使用することができる。
【００８４】
また、運転者の操作により「制限キャンセルモード」選択し、ウォッシャスイッチ２０をＯＮにすれば、タンク３（図１参照）内のウォッシャ液９を全て使い切ることができる。そのため、「制限キャンセルモード」は、整備等を行うためにウォッシャ液９を排出する際にも利用できる。
【００８５】
図９は、ウォッシャスイッチ２０の操作とウォッシャモータ１４の動作を示すタイムチャートであり、制御動作の他の変形例を示している。図９に示すように、ウォッシャ液９の噴射量を制限する場合、ウォッシャモータ１４の駆動開始を遅らせても良い。
【００８６】
即ち、運転者がウォッシャスイッチ２０をＯＮにしてから（Ｔｓ１）、所定の遅れ時間Ｔｄが経過してから、ウォッシャモータ１４をＯＮ駆動しても良い（Ｔｍ１）。尚、この遅れ時間Ｔｄは、運転者に違和感を与えない程度の時間である。これにより、運転者に与える操作感覚の不自然さを抑えつつ、ウォッシャ液９の噴射量を減少させることができる。
【００８７】
尚、以上説明の実施形態では、図３、図８等を参照し、ウォッシャスイッチ２０をＯＮにした状態でメータ表示部１６に「ウォッシャ制限モード」若しくは「制限キャンセルモード」の表示を行う例を示した。しかし、ウォッシャスイッチ２０のＯＮ、ＯＦＦ状態に関連なく、メータ表示部１６に、これら制御情報を常に表示しても良い。
【００８８】
以上説明した通り、本実施形態に係る車両用ウォッシャ装置１０によれば、運転者の負担を増大させることなく、目的地までの全行程に亘ってウォッシャ液９の噴射量を好適に制御することができる。これにより、安全な視界を確保しつつウォッシャ液９の消費量を抑え、液切れを回避することができる。
【００８９】
本発明は、上記実施形態に限定されるものではなく、その他、本発明の要旨を逸脱しない範囲で、種々の変更実施が可能である。
【符号の説明】
【００９０】
１      車両
２      ウィンドウガラス
３      タンク
４      配管
５      ノズル
９      ウォッシャ液
１０    車両用ウォッシャ装置
１１    ボディコントロールＥＣＵ
１２    演算部
１３    記憶部
１４ａ  ウォッシャポンプ
１４    ウォッシャモータ
１６    メータ表示部
２０    ウォッシャスイッチ
２２    通信機器
２３    アンテナ
２４    ナビゲーション装置
２６    ウォッシャ残量センサ
２７    雨滴検知センサ
２８    汚れ検知センサ
３０    ＶＩＣＳ（登録商標）センタ
３１    交通情報提供者
３２    気象情報提供者
３３    その他情報提供者
【図１】
2015131616.tif 000003
【図２】
2015131616.tif 000004
【図３】
2015131616.tif 000005
【図４】
2015131616.tif 000006
【図５】
2015131616.tif 000007
【図６】
2015131616.tif 000008
【図７】
2015131616.tif 000009
【図８】
2015131616.tif 000010
【図９】
2015131616.tif 000011